(57)【要約】【課題】画像信号が入力されない無信号状態が一時的に発生したことを報知し、対処できるプロジェクター、およびプロジェクターの制御方法を提供する。【解決手段】画像入力端子に画像信号が入力されていない無信号状態が画像信号検出手段により検出された場合（ステップＳ１０１）、無信号カウンターは無信号発生回数を１増加し（ステップＳ１０２）、無信号発生回数が所定回数Ｃ１以上になった場合（ステップＳ１０４：Ｙ）、制御手段は、報知手段により無信号状態が所定回数Ｃ１、または所定時間Ｔ１以上発生したことを報知する（ステップＳ１０９）プロジェクター。【選択図】図２
2014016561.tif 000002
【特許請求の範囲】
【請求項１】
プロジェクターであって、
画像信号が入力される画像入力端子と、
光源から射出された光を前記画像信号に基づく画像情報に応じて変調して投写面に投写する画像投写手段と、
前記画像入力端子に前記画像信号が入力されているか否かを検出する画像信号検出手段と、
前記画像信号検出手段により検出された、画像信号が入力されていない無信号状態の発生回数をカウントする無信号カウント手段と、
当該プロジェクターの状態を報知する報知手段と、
を備え、
前記無信号カウント手段によりカウントされた、前記無信号状態が所定回数に達した場合に前記報知手段が報知する、ことを特徴とする、プロジェクター。
【請求項２】
請求項１に記載のプロジェクターであって
前記画像信号検出手段が、前記無信号状態が所定時間以上継続したことを検出した場合に前記報知手段が報知する、ことを特徴とする、プロジェクター。
【請求項３】
請求項１または２に記載のプロジェクターであって
前記プロジェクターが電源オンされるときに、前記無信号カウント手段により前記無信号状態の発生が１回以上カウントされていた場合に前記報知手段が報知する、
ことを特徴とする、プロジェクター。
【請求項４】
請求項１から３のいずれか一項に記載のプロジェクターであって
前記プロジェクターが電源オフされるときに、前記無信号カウント手段により前記無信号状態の発生が１回以上カウントされていた場合に前記報知手段が報知する、
ことを特徴とする、プロジェクター。
【請求項５】
請求項１から４のいずれか一項に記載のプロジェクターであって
時刻を計時する計時部をさらに備え、
前記報知手段は前記報知の際に前記無信号状態が発生した無信号発生時刻を表示する、ことを特徴とする、プロジェクター。
【請求項６】
画像信号が入力される画像入力端子と、
光源から射出された光を前記画像信号に基づく画像情報に応じて変調して投写面に投写する画像投写手段と、
を備えたプロジェクターの制御方法であって、
前記画像入力端子に前記画像信号が入力されているか否かを検出する画像信号検出ステップと、
前記画像信号検出ステップにより検出された、画像信号が入力されていない無信号状態の発生回数をカウントする無信号カウントステップと、
前記無信号カウントステップにより、カウントされた前記無信号状態が所定回数に達した場合に報知する報知ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
画像を投写するプロジェクターを用いて無人でデモンストレーションを行うことがある。デモンストレーション中にプロジェクターに何らかの異常が発生し、画像の投写をすることができない状態が発生した場合、後で対処する必要がある。
【０００３】
下記に示す特許文献１には、装置に異常が発生した場合に記録し、警告画面により報知する記録再生装置が開示されている。このような装置によれば、いつ異常が発生したかを後で確認することができる。
【先行技術文献】
【特許文献】
【０００４】
【特許文献１】特開平５−２５０７６４号公報
【発明の概要】
【発明が解決しようとする課題】
【０００５】
しかしながら、特許文献１の方法では、プロジェクターに異常が発生した場合には記録されるものの、画像入力端子の接触不良や外部映像機器の不良などにより、一時的に画像信号が入力されない状態（無信号状態）が発生し、すぐに元に戻ったような場合、異常としては記録されないので、ユーザー（使用者）が不良状態に気が付かないままプロジェクターを使用し続けてしまう虞があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、画像信号が入力される画像入力端子と、光源から射出された光を前記画像信号に基づく画像情報に応じて変調して投写面に投写する画像投写手段と、前記画像入力端子に前記画像信号が入力されているか否かを検出する画像信号検出手段と、前記画像信号検出手段により検出された、画像信号が入力されていない無信号状態の発生回数をカウントする無信号カウント手段と、当該プロジェクターの状態を報知する報知手段と、を備え、前記無信号カウント手段によりカウントされた、前記無信号状態が所定回数に達した場合に前記報知手段が報知する、ことを特徴とする。
【０００８】
本適用例によれば、画像を投写中に画像信号が入力されない無信号状態が所定回数以上発生した場合に報知する。つまり、画像入力端子の接触不良などにより一時的な無信号状態が発生した場合には報知せずに投写を継続し、無信号状態が所定回数以上発生する場合は異常な状態とみなして報知するので、投写を中止して対処することなどをユーザーに促すことが可能となる。
【０００９】
［適用例２］上記適用例に記載のプロジェクターにおいて、前記画像信号検出手段が、前記無信号状態が所定時間以上継続したことを検出した場合に前記報知手段が報知する、ことを特徴とする。
【００１０】
本適用例によれば、画像を投写中に無信号状態が所定時間以上継続した場合に報知する。これにより、画像入力端子の接触不良などにより短時間の無信号状態が発生した場合には報知せずに投写を継続し、無信号状態がある程度継続する場合は異常な状態とみなして報知するので、投写を中止して対処することなどをユーザーに促すことが可能となる。
【００１１】
［適用例３］上記適用例に記載のプロジェクターにおいて、前記プロジェクターが電源オンされるときに、前記無信号カウント手段により前記無信号状態の発生が１回以上カウントされていた場合に前記報知手段が報知する、ことを特徴とする。
【００１２】
本適用例によれば、画像を投写中に１回以上無信号状態が発生した場合、電源オン時に報知する。例えば、デモンストレーションの終了時にタイマーなどで自動的に電源がオフされたり、商用電力が遮断されたりするなど、ユーザーが無信号状態の発生に気が付かなかった場合でも、次回電源をオンしたときに前回の動作時に無信号状態が発生していたことをユーザーに報知し、対処することを促すことが可能となる。
【００１３】
［適用例４］上記適用例に記載のプロジェクターにおいて、前記プロジェクターが電源オフされるときに、前記無信号カウント手段により前記無信号状態の発生が１回以上カウントされていた場合に前記報知手段が報知する、ことを特徴とする。
【００１４】
本適用例によれば、画像を投写中に１回以上無信号状態が発生した場合、電源オフ時に報知するので、投写を終了し、電源をオフする際に無信号状態が発生していたことをユーザーに報知し、対処することを促すことが可能となる。
【００１５】
［適用例５］上記適用例に記載のプロジェクターにおいて、時刻を計時する計時部をさらに備え、前記報知手段は前記報知の際に前記無信号状態が発生した無信号発生時刻を表示する、ことを特徴とする。
【００１６】
本適用例によれば、画像を投写中に無信号状態が発生した場合、無信号状態の報知にその発生時刻を表示する。これにより、無信号状態がいつごろ発生したかをユーザーが知ることができるので、対処する際に原因の特定に役立てることが可能となる。
【００１７】
［適用例６］本適用例に係るプロジェクターの制御方法は、画像信号が入力される画像入力端子と、光源から射出された光を前記画像信号に基づく画像情報に応じて変調して投写面に投写する画像投写手段と、を備えたプロジェクターの制御方法であって、前記画像入力端子に前記画像信号が入力されているか否かを検出する画像信号検出ステップと、前記画像信号検出ステップにより検出された、画像信号が入力されていない無信号状態の発生回数をカウントする無信号カウントステップと、前記無信号カウントステップによりカウントされた前記無信号状態が所定回数に達した場合に報知する報知ステップと、を有することを特徴とする。
【００１８】
本適用例によれば、画像を投写中に画像信号が入力されない無信号状態が所定回数以上発生した場合に報知する。つまり、一時的な画像入力端子の接触不良などにより無信号状態が発生した場合には報知せずにデモンストレーションを継続し、無信号状態が所定回数以上発生する場合は異常な状態とみなして報知するので、デモンストレーションを中止して対処するなどユーザーに促すことが可能となる。
【図面の簡単な説明】
【００１９】
【図１】プロジェクターの概略構成を示すブロック図。
【図２】プロジェクターが画像を投写中に無信号状態の発生を検出した時の動作を示すフローチャート。
【図３】プロジェクターが動作中に電源オフ操作を検出した時の動作を示すフローチャート。
【図４】プロジェクターが電源オンする時の動作を示すフローチャート。
【図５】無信号状態の発生を報知する画面の一例であり、（ａ）は画像を投写中に無信号状態が発生したときの報知画面、（ｂ）は電源オン時に無信号カウンターが１以上だった場合の報知画面。
【発明を実施するための形態】
【００２０】
以下、図面を参照して本発明の実施形態について説明するが、以下の実施形態は特許請求の範囲にかかる発明を限定するものではなく、また、実施形態における特徴の組み合わせの全てが発明の解決手段に必須であるとは限らない。
【００２１】
（第１実施形態）
図１は、本実施形態のプロジェクターの概略構成を示すブロック図である。
図１に示すように、プロジェクター１は、画像投写手段１０、画像信号検出手段１５、ＯＳＤ処理手段１６、画像信号処理手段１７、画像信号入力手段１８、制御手段２０、記憶手段２１、光源制御手段２２、入力操作手段２３、電源端子３０、電源部３１、計時部３２、報知手段３５等で構成されており、これらは図示しない筐体の内部、または外面に収容されている。
【００２２】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２４】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能となっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２５】
本実施形態では、光源として光源ランプ１１ａを用いて投写するプロジェクター１を例示したが、本発明は光源としてＬＥＤ（Light Emitting Diode）光源やレーザー光源などを用いて投写するプロジェクターにも適用することができる。
【００２６】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２７】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、時間を計時するタイマー２０１と、無信号状態の発生回数をカウントする、無信号カウント手段としての無信号カウンター２０２を備える。
【００２８】
記憶手段２１は、図示しないフラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では、無信号状態の発生回数を示す無信号発生回数２１１、及び無信号状態が発生した時刻を示す無信号発生時間２１２が保存される。
【００２９】
入力操作手段２３は、ユーザーがプロジェクター１に対して各種指示を行うための複数の操作キーを備えている。
入力操作手段２３が備える操作キーとしては、電源のオン・オフを交互に切り替えるための電源キーや、画像信号入力手段１８に入力される複数の画像入力端子を切り替えるための入力切替キー、各種設定を行うための設定メニューを重畳表示させるメニューキー、メニューからユーザーが設定項目を選択するカーソルキー、決定キー、エスケープキー、ヘルプキー等がある。
【００３０】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３１】
画像信号入力手段１８は、上述したように複数の画像入力端子を備えており、各画像入力端子より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７、及び画像信号検出手段１５に出力される。
【００３２】
画像信号検出手段１５は、画像信号入力手段１８に有効な画像信号が入力されているか否かを検出し、その検出結果を制御手段２０に通知する。なお、画像信号入力手段１８に画像信号が入力されていない状態を無信号状態と称す。ここで、無信号状態は、画像信号入力手段１８の画像入力端子に接続されたケーブルが外れたり、接触不良になったりした場合、また、画像入力端子に接続された外部の画像出力装置が故障したり、誤操作などで、有効な画像信号が入力されなかったりしたときなどに発生する。
【００３３】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３４】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３５】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３６】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３７】
光源制御手段２２は、制御手段２０の指示に基づいて、光源１１に対する電力の供給と停止とを制御し、光源１１の点灯、及び消灯を切り替える。
【００３８】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３９】
計時部３２は、図示しないバッテリー等でバックアップされるリアルタイムクロック等で構成される。制御手段２０は、無信号状態が発生した時刻を計時部３２より取得し、無信号発生時間２１２に記録する。
【００４０】
報知手段３５は、ＬＥＤ、ブザーなどで構成され、制御手段２０の指示に基づいて、プロジェクター１の状態をユーザーに報知する。本実施形態では無信号発生回数２１１が所定回数以上に達した場合に報知する。
【００４１】
本実施形態のプロジェクター１は、上記のように構成されているため、電源端子３０に電源ケーブル（図示せず）が接続され、電源部３１に電力が供給されると、電源部３１は、少なくとも制御手段２０、記憶手段２１、入力操作手段２３に電力（スタンバイ電力）の供給を行い、制御手段２０は、この電力供給を受けて、制御プログラムに従った動作を開始する。
電力が供給された直後には、プロジェクター１は、スタンバイ状態（「電源オフ状態」ともいう。）であり、光源１１を消灯させた状態を維持している。そして、入力操作手段２３に備わる電源キーがユーザーにより操作されると、制御手段２０は、電源部３１に指示をして、各部への動作電力の供給を開始させ、プロジェクター１を電源オン状態に移行させる。
【００４２】
次に、本実施形態のプロジェクター１の動作を図２〜４のフローチャートを用いて説明する。図２はプロジェクター１が画像を投写中に無信号状態を検出した時の動作、図３はプロジェクター１が動作中に電源オフ操作を検出した時の動作、図４はプロジェクター１が電源オン操作を検出した時の動作を示すフローチャートである。
【００４３】
（プロジェクターが無信号状態を検出したとき）
図２に示すように、プロジェクター１が動作中に、画像信号検出手段１５により、画像信号が入力されない無信号状態であることを検出すると（ステップＳ１０１）、ステップＳ１０２に遷移する。ステップＳ１０１と、後述するステップＳ１０６が画像信号検出ステップに相当する。
【００４４】
ステップＳ１０２において無信号カウンター２０２は、無信号発生回数２１１を１増加させ、計時部３２より無信号状態が発生した時刻を取得して無信号発生時間２１２に保存し、ステップＳ１０４に遷移する。
【００４５】
ステップＳ１０４において制御手段２０は、無信号発生回数２１１が所定回数Ｃ１（例えば３回）以上になったか否かを調べる。無信号発生回数２１１が所定回数Ｃ１以上の場合（ステップＳ１０４：Ｙ）、ステップＳ１０９に遷移する。無信号発生回数２１１が所定回数Ｃ１より小さい場合（ステップＳ１０４：Ｎ）、ステップＳ１０５に遷移する。ステップＳ１０４が無信号カウントステップに相当する。
【００４６】
ステップＳ１０５において制御手段２０は、タイマー２０１による計時を開始（タイマースタート）し、ステップＳ１０６に遷移する。
【００４７】
ステップＳ１０６において制御手段２０は、画像信号検出手段１５の検出結果に基づき、無信号状態か否かを調べる。無信号状態の場合（ステップＳ１０６：Ｙ）、ステップＳ１０７に遷移する。無信号状態でない場合、つまり画像信号が入力されている場合（ステップＳ１０６：Ｎ）、ステップＳ１１０に遷移する。
【００４８】
ステップＳ１０７において制御手段２０は、タイマー２０１が所定時間Ｔ１（例えば５秒）を経過したか否かを調べる。タイマー２０１が所定時間Ｔ１を経過した場合（ステップＳ１０７：Ｙ）、ステップＳ１０８に遷移する。タイマー２０１が所定時間Ｔ１を経過していない場合（ステップＳ１０７：Ｎ）、ステップＳ１０６に遷移する。
【００４９】
ステップＳ１０８において制御手段２０は、タイマー２０１による計時を停止し、ステップＳ１０９に遷移する。
【００５０】
ステップＳ１０９において制御手段２０は、報知手段３５により無信号状態が所定回数Ｃ１、または所定時間Ｔ１以上発生したことを報知し、次に画像投写手段１０により無信号発生報知画面Ｐ１を投写して無信号状態の発生回数、発生時間を表示する。次にステップＳ１１２に遷移する。このときの無信号発生報知画面Ｐ１を図５（ａ）に示す。ステップＳ１０９と、後述するステップＳ２０３、及びステップＳ３０４が報知ステップに相当する。
【００５１】
ステップＳ１１０において制御手段２０は、タイマー２０１による計時を停止し、ステップＳ１１２に遷移する。
【００５２】
ステップＳ１１２において本動作フローを終了する。
【００５３】
（プロジェクターが電源オフ操作を検出した時）
図３に示すように、プロジェクター１が動作中に入力操作手段２３の電源キーなどにより電源オフ操作を検出すると（ステップＳ２０１）、ステップＳ２０２に遷移する。
【００５４】
ステップＳ２０２において制御手段２０は、無信号発生回数２１１が１以上であるか、つまり無信号状態が１回以上発生しているか否かを調べる。無信号発生回数２１１が１以上の場合（ステップＳ２０２：Ｙ）、ステップＳ２０３に遷移する。無信号発生回数２１１が０の場合（ステップＳ２０２：Ｎ）、ステップＳ２０９に遷移する。
【００５５】
ステップＳ２０３において制御手段２０は、動作中に無信号状態が発生していたことを報知手段３５により報知し、無信号発生報知画面Ｐ１を画像投写手段１０により投写して無信号状態の発生回数、発生時間を表示する。次にステップＳ２０４に遷移する。
【００５６】
ステップＳ２０４において制御手段２０は、タイマー２０１による計時を開始（タイマースタート）し、ステップＳ２０５に遷移する。
【００５７】
ステップＳ２０５において制御手段２０は、無信号発生報知画面Ｐ１に対し、所定の確認操作（例えば決定キー）を行ったか否かを調べる。確認操作を行った場合（ステップＳ２０５：Ｙ）、ステップＳ２０７に遷移する。確認操作を行っていない場合（ステップＳ２０５：Ｎ）、ステップＳ２０６に遷移する。
【００５８】
ステップＳ２０６において制御手段２０は、タイマー２０１が所定時間Ｔ２（例えば１０秒）を経過したか否かを調べる。タイマー２０１が所定時間Ｔ２を経過した場合（ステップＳ２０６：Ｙ）、ステップＳ２０８に遷移する。タイマー２０１が所定時間Ｔ２を経過していない場合（ステップＳ２０６：Ｎ）、ステップＳ２０５に遷移する。
【００５９】
ステップＳ２０７において無信号カウンター２０２は、無信号発生回数をリセットし、ステップＳ２０８に遷移する。
【００６０】
ステップＳ２０８において制御手段２０は、タイマー２０１による計時を停止し、ステップＳ２０９に遷移する。
【００６１】
ステップＳ２０９において制御手段２０は、光源制御手段２２により、光源１１を消灯し、ステップＳ２１０に遷移する。
【００６２】
ステップＳ２１０において制御手段２０は、プロジェクター１の電源をオフしてスタンバイ状態に移行させ、本動作フローを終了する。
【００６３】
（プロジェクターが電源オンする時）
図４に示すように、プロジェクター１がスタンバイ中に入力操作手段２３の電源キーなどにより電源オン操作を検出すると（ステップＳ３０１）、ステップＳ３０２に遷移する。
【００６４】
ステップＳ３０２において制御手段２０は、光源制御手段２２により、光源１１を点灯させ、ステップＳ３０３に遷移する。
【００６５】
ステップＳ３０３において制御手段２０は、無信号発生回数２１１が１以上であるか、つまり前回の動作時に無信号状態が１回以上発生しているか否かを調べる。無信号発生回数２１１が１以上の場合（ステップＳ３０３：Ｙ）、ステップＳ３０４に遷移する。無信号発生回数２１１が０の場合（ステップＳ３０３：Ｎ）、ステップＳ３０６に遷移する。
【００６６】
ステップＳ３０４において制御手段２０は、プロジェクター１が前回の動作時に無信号状態が発生していたことを報知手段３５により報知し、無信号発生報知画面Ｐ２を画像投写手段１０により投写して無信号状態の発生回数、発生時間を表示する。次にステップＳ３０５に遷移する。このときの無信号発生報知画面Ｐ２を図５（ｂ）に示す。
【００６７】
ステップＳ３０５において無信号カウンター２０２は、無信号発生回数２１１をリセットし、ステップＳ３０６に遷移する。
【００６８】
ステップＳ３０６において制御手段２０は、画像信号入力手段１８から入力される画像情報を画像投写手段１０により投写し、本動作フローを終了する。
【００６９】
以上説明したように、本実施形態のプロジェクター１によれば、画像を投写中に画像信号が入力されない無信号状態が所定回数Ｃ１以上発生した場合に報知手段が報知する。つまり、画像入力端子の接触不良などにより一時的な無信号状態が発生した場合には報知せずにデモンストレーションを継続し、無信号状態が所定回数Ｃ１以上発生する場合は異常な状態とみなして報知するので、デモンストレーションを中止して対処するなどユーザーに促すことが可能となる。
【００７０】
また、画像を投写中に無信号状態が所定時間Ｔ１以上継続した場合に報知する。これにより、画像入力端子の接触不良などにより短時間の無信号状態が発生した場合には報知せずにデモンストレーションを継続し、無信号状態がある程度（所定時間Ｔ１以上）継続する場合は異常な状態とみなして報知するので、デモンストレーションを中止して対処するなどユーザーに促すことが可能となる。
【００７１】
また、画像を投写中に１回以上無信号状態が発生した場合、電源オフ時に報知するので、デモンストレーションを終了し、プロジェクター１の電源をオフする際に無信号状態が発生していたことをユーザーに報知し、対処することをユーザーに促すことが可能となる。
【００７２】
また、画像を投写中に１回以上無信号状態が発生した場合、プロジェクター１の電源オン時に報知する。例えば、デモンストレーションの終了時にタイマーなどで自動的に電源がオフされたり、商用電源が遮断されたりするなど、ユーザーが無信号状態の発生に気が付かなかった場合でも、次に電源をオンしたときに前回の動作時に無信号状態が発生していたことを報知し、対処することをユーザーに促すことが可能となる。
【００７３】
また、画像を投写中に無信号状態が発生した場合、その発生時間を記録し、報知する。これにより、無信号状態がいつごろ発生したかをユーザーが知ることができるので、対処する際に原因の特定に役立てることが可能となる。
【００７４】
また、上記実施形態は、以下のように変更してもよい。
（変形例１）
上記実施形態において、動作中の無信号状態の発生回数が所定回数Ｃ１に満たない場合は報知しないが、無信号状態が一度でも発生した場合は報知手段３５のＬＥＤなどにより報知し、無信号状態の発生回数が所定回数Ｃ１以上になった場合にさらに無信号発生報知画面を画像投写手段１０により投写するようにしてもよい。
これにより、無信号状態の発生回数が所定回数Ｃ１に達せず、デモンストレーションが継続している場合でも報知手段３５により無信号発生を報知し、対処を促すことが可能となる。
【符号の説明】
【００７５】
１…プロジェクター、１０…画像投写手段、１１…光源、１２Ｒ，１２Ｇ，１２Ｂ…液晶ライトバルブ、１３…投写レンズ、１４…液晶駆動手段、１５…画像信号検出手段、１６…ＯＳＤ処理手段、１７…画像信号処理手段、１８…画像信号入力手段、２０…制御手段、２０１…タイマー、２０２…無信号カウンター、２１…記憶手段、２１１…無信号発生回数、２１２…無信号発生時間、２２…光源制御手段、２３…入力操作手段、３０…電源端子、３１…電源部、３２…計時部、３５…報知手段。
【図１】
2014016561.tif 000003
【図２】
2014016561.tif 000004
【図３】
2014016561.tif 000005
【図４】
2014016561.tif 000006
【図５】
2014016561.tif 000007